(57)【要約】【課題】衛生的で、経済性に優れ、しかも環境への負荷の少ない畳を提供する。【解決手段】月桃の茎及び／又は葉を解繊した月桃解繊ファイバーを主成分とする繊維原料に、非ホルマリン系の接着剤を添加、混合してボード状に成形した、比重が０．２〜０．４の月桃ボード２ａ，２ｂがその一部に用いられている畳床１１と、畳床１１の上面側に配設された畳表１２と、畳床１１の下面側に配設された裏シート１３とを備えた構成とする。また、畳床を構成する芯材として、発泡ポリスチレンなどの樹脂を用いて形成した芯材を用い、その両面側に月桃ボードを配設した構成とする。また、畳床を、実質的に１枚又は複数枚の月桃ボードから形成する。また、畳床の構造を、古紙ボードと、月桃ボードとを組み合わせた積層構造とする。【選択図】          図１
2004316119.tif 000002
【特許請求の範囲】
【請求項１】
月桃の茎及び／又は葉を解繊した月桃解繊ファイバーを主成分とする繊維原料に、非ホルマリン系の接着剤を添加、混合してボード状に成形した、比重が０．２〜０．４の月桃ボードが少なくともその一部に用いられている畳床と、
前記畳床の上面側に配設された畳表と、
前記畳床の下面側に配設された裏シートと
を備えていることを特徴とする畳。
【請求項２】
前記畳床が、樹脂を用いて形成したボード状の芯材と、その両面側に配設された前記月桃ボードとを備えた積層構造を有していることを特徴とする請求項１記載の畳。
【請求項３】
前記樹脂を用いて形成した芯材が発泡ポリスチレンからなるものであることを特徴とする請求項２記載の畳。
【請求項４】
前記畳床が、実質的に１枚又は複数枚の前記月桃ボードから形成されていることを特徴とする請求項１記載の畳。
【請求項５】
前記畳床が、古紙を解繊した古紙解繊ファイバーを主成分とする繊維原料に、非ホルマリン系の接着剤を添加、混合してボード状に成形した、比重が０．２〜０．４の古紙ボードと、前記月桃ボードとを組み合わせた積層構造を有していることを特徴とする請求項１記載の畳。
【請求項６】
前記月桃ボード及び前記古紙ボードを構成する非ホルマリン系接着剤としてイソシアネート系接着剤が用いられていることを特徴とする請求項１〜５のいずれかに記載の畳。
【発明の詳細な説明】
【０００１】
【発明の属する技術分野】
本発明は畳に関し、詳しくは、月桃の茎及び／又は葉を解繊した月桃解繊ファイバーを主成分とする繊維原料を成形した月桃ボードを畳床に用いた畳に関する。
【０００２】
【従来の技術及び発明が解決しようとする課題】
伝統的な畳は、天然のわらを束ねて畳床（芯材）を形成し、この畳床に畳表を貼り付けた構造を有している。
【０００３】
ところで、畳床に天然のわらを使用した場合、虫や卵などがわらに付着している場合があり、不衛生になるという問題点がある。また、湿気が多い場合などには虫やかびなどが発生して、畳床の腐敗や劣化などを進行させるという問題点がある。
【０００４】
また、近年、農作業の機械化によって、わらは直ちに畑に鋤き込まれることが多く、畳床の原料となるわらを確保することが困難になりつつあり、わらの使用にこだわればコストの増大を招く結果となる。
【０００５】
そこで、本願の出願人は、古畳を用いて、畳ボード（古畳再生ボード）を製造する方法を提案しており（先行出願１参照）、この方法によれば、古畳を有効に畳ボードに再利用することが可能になる。
【０００６】
【先行出願１】
特願２００１−３４５９９０
【０００７】
しかしながら、先行出願１の方法が、当該技術分野で広く用いられるためには、十分な特性を備えた畳を確実に製造することが可能な方法であると認識されることが必要で、そのためには時間も必要であることから、上記先行出願１の方法は必ずしも十分には利用されていないのが実情である。
【０００８】
本発明は、上記実情に鑑みてなされたものであり、衛生的で、経済性に優れた畳を提供することを目的とする。
【０００９】
【課題を解決するための手段】
上記目的を達成するために、本発明（請求項１）の畳は、
月桃の茎及び／又は葉を解繊した月桃解繊ファイバーを主成分とする繊維原料に、非ホルマリン系の接着剤を添加、混合してボード状に成形した、比重が０．２〜０．４の月桃ボードが少なくともその一部に用いられている畳床と、
前記畳床の上面側に配設された畳表と、
前記畳床の下面側に配設された裏シートと
を備えていることを特徴としている。
【００１０】
本発明の畳においては、月桃の茎及び／又は葉を解繊した月桃解繊ファイバーを主成分とする繊維原料に、非ホルマリン系の接着剤を添加、混合してボード状に成形した、比重が０．２〜０．４の月桃ボードが、畳床の少なくとも一部に用いられており、月桃ボードが防虫機能を果たすことから、衛生的であるとともに、月桃が低コストの材料であることから製品である畳のコストを低減することが可能になる。
したがって、本発明によれば、防虫効果があり、衛生的で、しかも経済性に優れた畳を提供することが可能になる。
【００１１】
なお、「月桃」は、ショウガ科、ハナミョウガ属の植物であって、琉球列島などに分布しており、防虫機能、防黴機能、健胃などの薬効があることが知られている。また、その茎及び葉には、多くの繊維分が含まれている。
したがって、この月桃の茎及び／又は葉を解繊した月桃解繊ファイバーを主成分とする繊維原料に、非ホルマリン系の接着剤を添加、混合してボード状に成形した月桃ボードを、畳床に用いることにより、必要な機械的強度を備え、かつ、虫に食われたり、かびが生えたりすることのない、衛生的で経済性に優れた畳を提供することができるようになる。
【００１２】
なお、本発明において、比重が０．２〜０．４の月桃ボードを用いるようにしているのは、比重が０．２未満になると機械的強度が不十分になり、また、比重が０．４を超えると、製造工程で畳に針を通すことが困難になり、畳の製造に支障をきたすことによる。
【００１３】
また、請求項２の畳は、前記畳床が、樹脂を用いて形成したボード状の芯材と、その両面側に配設された前記月桃ボードとを備えた積層構造を有していることを特徴としている。
【００１４】
樹脂を用いて形成した芯材の両面側に月桃ボードを配設することにより、畳として必要な物性を備えているとともに、防虫効果があり衛生的で、しかも経済性に優れた畳を提供することができるようになる。
【００１５】
また、請求項３の畳は、前記樹脂を用いて形成した芯材が発泡ポリスチレンからなるものであることを特徴としている。
【００１６】
畳床の構造を、発泡ポリスチレンからなる芯材の両面側に月桃ボードが配設された構造とした場合、従来より用いられている畳と同等の特性を備え、かつ、より衛生的で経済性に優れた畳を提供することが可能になる。
【００１７】
また、請求項４の畳は、前記畳床が、実質的に１枚又は複数枚の前記月桃ボードから形成されていることを特徴としている。
【００１８】
畳床を、実質的に月桃ボードのみから形成した場合、月桃ボードの防虫機能により、衛生的で経済性に優れた畳を提供することが可能になるとともに、芯材として発泡ポリスチレンのような樹脂材料が用いられていないので、焼却処理を行う場合にも環境への負荷の少ない畳を提供することが可能になる。
【００１９】
なお、本発明においては、一枚の月桃ボードから畳床を形成してもよく、また、複数枚の月桃ボードから畳床を形成するようにしてもよい。
また、畳床を、実質的に月桃ボードのみから形成する場合には、月桃ボードが芯材としての機能を果たすことが要求されるので、それに応じた物性を備えた月桃ボードを用いることが必要になる。
【００２０】
また、請求項５の畳は、前記畳床が、古紙を解繊した古紙解繊ファイバーを主成分とする繊維原料に、非ホルマリン系の接着剤を添加、混合してボード状に成形した、比重が０．２〜０．４の古紙ボードと、前記月桃ボードとを組み合わせた積層構造を有していることを特徴としている。
【００２１】
畳床の構造を、古紙を解繊した古紙解繊ファイバーを主成分とする繊維原料に、非ホルマリン系の接着剤を添加、混合してボード状に成形した、比重が０．２〜０．４の古紙ボードと、月桃ボードとを組み合わせた積層構造とした場合、月桃ボードの防虫機能により、衛生的で経済性に優れた畳を提供することが可能になるとともに、芯材として古紙ボードが用いられており、発泡ポリスチレンのような樹脂材料が用いられていないので、焼却処理を行う場合にも環境への負荷の少ない畳を提供することが可能になる。
【００２２】
また、請求項６の畳は、前記月桃ボード及び前記古紙ボードを構成する非ホルマリン系接着剤としてイソシアネート系接着剤が用いられていることを特徴としている。
【００２３】
月桃ボード及び古紙ボードを構成する非ホルマリン系接着剤としてイソシアネート系接着剤を用いることにより、ホルマリンの発生がなく、衛生的で、しかも、機械的強度に優れた畳を提供することが可能になる。
なお、イソシアネート系接着剤は、月桃ボード及び古紙ボード中の含有率が、乾燥基準で５重量％〜１０重量％となるような割合で添加することが好ましい。
【００２４】
【発明の実施の形態】
以下、本発明の実施の形態を示してその特徴とするところをさらに詳しく説明する。
【００２５】
［実施形態１］
図１は本発明の一実施形態（実施形態１）にかかる畳の構造を示す断面図である。
【００２６】
この実施形態１の畳は、畳床１１と、畳床１１の上面側に配設された、イグサを編んで形成した畳表１２と、畳床の下面側に配設されたポリ塩化ビニル樹脂系の裏シート１３とを備えている。
そして、この実施形態１の畳においては、畳床１１が、発泡ポリスチレンからなる厚みが約２５ｍｍのボード状の芯材１と、芯材１の両面側に配設された、月桃の茎及び葉を解繊した月桃解繊ファイバーを主成分とする繊維原料にバインダーを添加、混合してボード状に成形した、厚みが約１０〜１５ｍｍの２枚の月桃ボード２ａ，２ｂからなる３層構造を有している。
【００２７】
そして、畳床１１を構成する上側の月桃ボード２ａの上面に畳表１２が配設されており、畳床１１を構成する下側の月桃ボード２ｂの下面に裏シート１３が配設されている。
【００２８】
また、月桃ボード２ａ，２ｂとしては、月桃の茎及び葉を解繊した月桃解繊ファイバーを主成分とする繊維原料に、非ホルマリン系の接着剤（この実施形態ではイソシアネート系接着剤）を乾燥基準で８重量％の割合で添加、混合し、ボード状に成形した、比重が０．２〜０．４（この実施形態では０．３５）の月桃ボードが用いられている。
【００２９】
この月桃ボード２ａ，２ｂは、例えば以下の手順を経て製造される。
（１）まず、月桃の茎及び葉を乾式解繊して、月桃解繊ファイバーを主成分とする繊維原料を調製する。
（２）次に、月桃解繊ファイバーを主成分とする繊維原料に、バインダーとして、イソシアネート系接着剤を乾燥基準で８重量％の割合で添加した後、十分に混合する。
（３）それから、イソシアネート系接着剤が添加、混合された繊維原料を、例えば、ホットプレス装置を用いて、１６０℃、１．０ＭＰａの条件で加熱、圧締することにより、比重が０．３５のボード状に形成する。
（４）次いで、ボードを養生させた後、トリミングして所定の寸法に仕上げる。これにより、図１に示すような月桃ボード２ａ，２ｂが得られる。
【００３０】
そして、上記のようにして製造した月桃ボード２ａ，２ｂを、発泡ポリスチレンからなる芯材１の上下両面側に配設することにより畳床１１が形成される。
そして、この畳床１１の上面に畳表１２を配設するとともに、下面に裏シート１３を配設することにより、図１に示すような畳が得られる。
このようにして得られる本発明の実施形態１の畳は、上述のように、発泡ポリスチレンからなる芯材１の上下両面側に月桃ボード２ａ，２ｂを配設することにより形成された畳床１１が用いられており、月桃ボード２ａ，２ｂが、防虫機能を果たすとともに、月桃ボード（畳ボード）２ａ，２ｂが低コストの月桃を用いて形成されているため、従来のようにわらを用いることを必要とせずに、防虫機能を備え、衛生的で、しかも経済性に優れた畳を提供することが可能になる。
【００３１】
［実施形態２］
図２は本発明の他の実施形態（実施形態２）にかかる畳を示す断面図である。
図２に示すように、この実施形態２の畳を構成する畳床１１は、厚みが約２５  ｍｍの２枚の月桃ボード２ａ，２ｂからなる２層構造を有している。
すなわち、この実施形態２の畳においては、上記実施形態１で用いられているような発泡ポリスチレンからなる芯材１は用いられておらず、２枚の月桃ボード２ａ，２ｂのみから形成されている。なお、月桃ボード２ａ，２ｂとしては上記実施形態１の場合と同じ方法で製造された月桃ボードが用いられている。
そして、この２枚の月桃ボード２ａ，２ｂのみからなる畳床１１の上面側に畳表１２が配設され、下面側にポリ塩化ビニル樹脂系の裏シート１３が配設されている。
【００３２】
上記のように構成された実施形態２の畳は、畳床１１が２枚の月桃ボード２ａ，２ｂのみから形成されており、発泡ポリスチレンのような樹脂材料が用いられていないので、焼却処理を行う場合にも環境への負荷が少ないという特徴を有している。
また、十分な防虫効果を備えおり、衛生面で優れているばかりでなく、安価な月桃が用いられているため経済性にも優れている。
【００３３】
なお、月桃ボードは、通常、加熱、圧締の工程を経て製造されるため、ボード厚みには製造工程上の制約があるが、この実施形態２のように複数枚の月桃ボード２ａ，２ｂを積層することにより、任意の厚みの畳床１１を形成することができる。なお、この実施形態２では、２枚の月桃ボード２ａ，２ｂを積層し畳床１１を形成するようにしているが、３枚以上の月桃ボードを積層して畳床を形成するようにしてもよい。
また、場合によっては、複数枚の月桃ボードを積層するのではなく、図３に示すように、厚みの大きい一枚の月桃ボード２を用いて畳床１１を形成することも可能である。
【００３４】
［実施形態３］
図４は本発明のさらに他の実施形態（実施形態３）にかかる畳を示す断面図である。
図４に示すように、この実施形態３の畳を構成する畳床１１は、古紙を解繊した古紙解繊ファイバーを主成分とする繊維原料に、非ホルマリン系の接着剤を添加、混合してボード状に成形した、比重が０．２〜０．４（この実施形態３では比重が０．３５）で、厚みが約１５〜２５ｍｍの古紙ボードからなる芯材２１と、芯材２１の上下両面側に配設された、月桃の茎及び葉を解繊した月桃解繊ファイバーを主成分とする繊維原料にバインダーを添加、混合してボード状に成形した、比重が０．２〜０．４（この実施形態３では比重が０．３５）で、厚みが約１０〜１５ｍｍの２枚の月桃ボード２ａ，２ｂを備えた３層構造を有している。
なお、月桃ボード２ａ，２ｂとしては、上記実施形態１の場合と同じ方法で製造された月桃ボードが用いられている。
【００３５】
また、芯材２１として用いられている古紙ボードとしては、古紙を乾式解繊した古紙解繊ファイバーを主成分とする繊維原料に、バインダーとして、イソシアネート系接着剤を乾燥基準で８重量％になるような割合で添加、混合した後、加熱、圧締することにより製造されたものが用いられている。
そして、３層構造の畳床１１の上面側に畳表１２が配設され、下面側にポリ塩化ビニル樹脂系の裏シート１３が配設されている。
【００３６】
上記のように構成された実施形態３の畳は、畳床１１が、古紙ボードからなる芯材２１と２枚の月桃ボード２ａ，２ｂから形成されており、発泡ポリスチレンのような樹脂材料が用いられていないので、焼却処理を行う場合にも環境への負荷が少ないという特徴を有している。
また、十分な防虫効果を備えおり、衛生面で優れているばかりでなく、安価な月桃が用いられているため経済性にも優れている。
【００３７】
なお、実施形態３では、畳床１１を、古紙ボードからなる芯材２１と、その上下両面側に配設された２枚の月桃ボード２ａ，２ｂからなる３層構造とした場合を例にとって説明したが、芯材と月桃ボードの積層態様はこれに限られるものではなく、古紙ボートを複数枚積層した複数層構造の芯材の上下両面側に月桃ボードを積層するようにしてもよく、また、芯材と月桃ボードが交互に積層されるような態様とすることも可能である。ただし、この場合も防虫効果を確保する見地からは、畳床の最外層が月桃ボードとなるような態様で積層することが望ましい。
また、上記各実施形態では、月桃の茎及び葉を用いて月桃ボードを形成するようにしているが、場合によっては、月桃の茎だけ、あるいは月桃の葉だけを用いて月桃ボードを形成することも可能である。
【００３８】
本発明はさらにその他の点においても上記実施形態に限定されるものではなく、発明の範囲内において種々の応用、変形を加えることが可能である。
【００３９】
【発明の効果】
上述のように、本発明（請求項１）の畳においては、月桃の茎及び／又は葉を解繊した月桃解繊ファイバーを主成分とする繊維原料に、非ホルマリン系の接着剤を添加、混合してボード状に成形した、比重が０．２〜０．４の月桃ボードが、畳床の少なくとも一部に用いられており、月桃ボードが防虫機能を果たすことから、衛生的であるとともに、月桃が低コストの材料であることから製品である畳のコストを低減することが可能になる。
したがって、本発明によれば、防虫効果があり、衛生的で、しかも経済性に優れた畳を提供することが可能になる。
【００４０】
また、請求項２の畳のように、樹脂を用いて形成した芯材の両面側に月桃ボードを配設することにより、畳として必要な物性を備えているとともに、防虫効果があり衛生的で、しかも経済性に優れた畳を提供することができるようになる。
【００４１】
また、請求項３の畳のように、畳床の構造を、発泡ポリスチレンからなる芯材の両面側に月桃ボードが配設された構造とした場合、従来より用いられている畳と同等の特性を備え、かつ、より衛生的で経済性に優れた畳を提供することが可能になる。
【００４２】
また、請求項４の畳のように、畳床を、実質的に月桃ボードのみから形成するようにした場合、月桃ボードの防虫機能により、衛生的で経済性に優れた畳を提供することが可能になるとともに、芯材として発泡ポリスチレンのような樹脂材料が用いられていないので、焼却処理を行う場合にも環境への負荷の少ない畳を提供することが可能になる。
【００４３】
また、請求項５の畳のように、畳床の構造を、古紙を解繊した古紙解繊ファイバーを主成分とする繊維原料に、非ホルマリン系の接着剤を添加、混合してボード状に成形した、比重が０．２〜０．４の古紙ボードと、月桃ボードとを組み合わせた積層構造とした場合、月桃ボードの防虫機能により、衛生的で経済性に優れた畳を提供することが可能になるとともに、芯材として古紙ボードが用いられており、発泡ポリスチレンのような樹脂材料が用いられていないので、焼却処理を行う場合にも環境への負荷の少ない畳を提供することが可能になる。
【００４４】
また、請求項６の畳のように、月桃ボード及び古紙ボードを構成する非ホルマリン系接着剤としてイソシアネート系接着剤を用いることにより、ホルマリンの発生がなく、衛生的で、しかも、機械的強度に優れた畳を提供することが可能になる。
【図面の簡単な説明】
【図１】本発明の一実施形態（実施形態１）にかかる、月桃の茎及び葉を解繊した月桃解繊ファイバーを主成分とする繊維原料を成形した月桃ボードを畳床に用いた畳を示す断面図である。
【図２】本発明の他の実施形態（実施形態２）にかかる畳を示す断面図である。
【図３】実施形態２の畳の変形例を示す断面図である。
【図４】本発明のさらに他の実施形態（実施形態３）にかかる畳を示す断面図である。
【符号の説明】
１                  芯材（発泡ポリスチレン）
２，２ａ，２ｂ      月桃ボード
１１                畳床
１２                畳表
１３                裏シート
２１                芯材（古紙ボード）
【図１】
2004316119.tif 000003
【図２】
2004316119.tif 000004
【図３】
2004316119.tif 000005
【図４】
2004316119.tif 000006